(57)【要約】【課題】  偏向走査手段にガルバノミラーを用いた走査光学装置において、極力光量の低下を軽減しつつ、主走査方向のスポット径を制御する制御手段を用いることなく、全走査領域に亙り略等しい主走査方向のスポット径で走査する走査光学装置を提案する。【解決手段】  正弦振動により光束を偏向する偏向手段と、偏向後の光束を被走査面上に集光する走査光学手段とを有する光走査装置において、少なくとも主走査方向の光束幅を該偏向手段が決定し、且つ、走査中央のｄＹ／ｄθに対して走査端部のｄＹ／ｄθを同じか若しくは小さくした光学素子を該走査光学手段に用いた。【選択図】  図１
2005215571.tif 000002
【特許請求の範囲】
【請求項１】
正弦振動により光束を偏向走査する偏向手段と、偏向後の光束を被走査面上に集光する走査光学手段とを有する光走査装置において、少なくとも主走査方向の光束幅を該偏向手段が決定し、且つ、走査光学手段への光束の入射角度θに対する走査位置Ｙの敏感度をｄＹ／ｄθとするときに、走査中央におけるｄＹ／ｄθに対して走査端部におけるｄＹ／ｄθを同じか若しくは小さくした光学素子を該走査光学手段に用いたことを特徴とする光走査装置。
【請求項２】
正弦振動により光束を偏向走査する偏向手段と、偏向後の光束を被走査面上に集光する走査光学手段とを有する光走査装置において、走査光学手段への光束の入射角度θに対する走査位置Ｙの敏感度をｄＹ／ｄθとするときに、走査中央におけるｄＹ／ｄθに対して走査端部におけるｄＹ／ｄθを同じか若しくは小さくした光学素子を該走査光学手段に用い、主走査方向のスポット径の変動を全印字領域に亙り５％以下に抑えたことを特徴とする光走査装置。
【請求項３】
被走査面上における光束の走査速度をＶ、該偏向手段で偏向された光束の断面積をＳとする時、｜Ｖ／Ｓ｜に比例するように光源の光量を変調した、請求項１または請求項２記載の光走査装置。
【請求項４】
被走査面上における光束の走査速度、該偏向手段で偏向された光束の断面積、及び偏向後の光束の光強度分布を考慮して光源の光量を変調させた、請求項１または請求項２記載の光走査装置。
【請求項５】
被走査面上における光束の走査速度をＶ、該偏向手段で偏向された光束の断面積をＳとする時、｜Ｖ／Ｓ｜に比例するように１画素に割り当てる発光時間を制御した、請求項１または請求項２記載の光走査装置。
【請求項６】
被走査面上における光束の走査速度、該偏向手段で偏向された光束の断面積、及び偏向後の光束の光強度分布を考慮して１画素に割り当てる発光時間を制御した、請求項１または請求項２記載の光走査装置。
【請求項７】
走査速度の大きさに比例して画像クロックを制御した請求項１〜６のいずれか１項に記載の光走査装置。
【請求項８】
請求項１〜７のいずれか１項に記載の光走査装置を用いた画像形成装置。
【発明の詳細な説明】
【技術分野】
【０００１】
本発明は走査光学系に関し、特に光源手段から出射した光束（レーザ光）を光偏向器としてのガルバノミラーにより偏向反射させ、走査光学手段を介して被走査面上を光走査して画像情報を記録するようにした、例えば電子写真プロセスを有するレーザービームプリンタやデジタル複写機、マルチファンクションプリンタ（多機能プリンタ）等の画像形成装置に好適なものである。
【背景技術】
【０００２】
従来からレーザービームプリンタ等の光走査装置として、偏向手段にガルバノミラーを用いた光走査装置が提案されてきた。例えば特許文献１では偏向手段にガルバノミラーを用いた光走査装置を提案している。このような光走査装置では、ガルバノミラーを正弦振動させることで入射光を偏向し、走査光学手段を介して光束をスポット状に結像させながら被走査面上に走査させている。
【０００３】
しかしながら偏向面を共振現象によって揺動かしているガルバノミラーの場合、ガルバノミラーの変位角は正弦的に変化する。このような特徴を持つガルバノミラーを用いて走査速度を一定に保つには、特許文献１にもあるように走査光学手段への光束の入射角度に対してｆ＿ｓｉｎ−１特性（光学素子への入射角度をθとしたときに、ｓｉｎ−１（θ／θ０）に比例した像高に光束を結像する特性。ここでθ０はガルバノミラーの最大偏向角度）を持つ走査光学手段を用いる必要がある。
【０００４】
ところが、走査光学手段にｆ＿ｓｉｎ−１特性を持たせた場合、走査速度を一定に保つことはできても、特許文献２で指摘しているように主走査方向のスポット径は走査中央から走査端部に行くに従い肥大化するため、全印字領域に渡り主走査方向のスポット径を一定に保つことは難しくなる。このため特許文献２では主走査方向のスポット径の大きさを制御する制御手段を用いることを提案している。
【０００５】
また、偏向手段にガルバノミラーを用いた場合、走査速度を高速化するには偏向面を共振させ、且つ偏向面を小さくすることが一般に有利といえる。
【特許文献１】特開平０９−２３０２７６号公報
【特許文献２】特開平０７−２７０６９９号公報
【発明の開示】
【発明が解決しようとする課題】
【０００６】
しかしながらガルバノミラーの偏向面を小さくした場合、偏向面の大きさに応じて光束幅も狭くなる。このため被走査面上における光量は低下し、更に被走査面上におけるスポット径も大きくなるため、印字画像の品位を下げてしまいかねない。更に、偏向手段に光束が導光されるまでに絞り等の光束制限手段を用いて光束幅が決定される場合、光束制限手段によって決定される光束幅は偏向面よりも小さくする必要がある。以上のことを考えると、偏向面を小さくする際には、少しでも光束幅が広くなるような構成にすることが求められる。
【０００７】
また、走査光学手段にｆ＿ｓｉｎ−１特性を持たせた場合、前述したように走査端部に行くに従い主走査方向のスポット径は肥大化するが、特許文献２で述べられているような方法を用いて主走査方向のスポット径の一様性を改善した場合、レーザの状態に応じて１台１台複雑な制御を行う必要があり、最終的に製品のコストを高くしてしまうため好ましくない。また、仮に光束幅を広げるために偏向面で少なくとも主走査方向の光束幅を決定するような構成にした場合、偏光方向に応じて主走査方向の光束幅が変化するため、主走査方向のスポット径を一様に揃えることがより難しくなる。
【０００８】
そこで本発明は、偏向走査手段に正弦振動するガルバノミラーを用いた走査光学装置において、極力光量の低下を軽減しつつ、スポット径を制御する制御手段を用いることなく、全走査領域に亙り略等しいスポット径で被走査面上を走査する光走査装置及びそれを用いた画像形成装置を提案する。
【課題を解決するための手段】
【０００９】
上記の問題を解決するために、本発明では、正弦振動により光束を偏向走査する偏向手段と、偏向後の光束を被走査面上に集光する走査光学手段とを有する光走査装置において、少なくとも主走査方向の光束幅を該偏向手段が決定し、且つ、走査光学手段への光束の入射角度θに対する走査位置Ｙの敏感度をｄＹ／ｄθとするときに、走査中央におけるｄＹ／ｄθに対して走査端部におけるｄＹ／ｄθを同じか若しくは小さくした光学素子を該走査光学手段に用いた構成とする。
【発明の効果】
【００１０】
本発明によれば偏向走査手段にガルバノミラーを用いた走査光学装置において、前述の如く構成することにより、極力光量の低下を軽減しつつ、スポット径を制御する制御手段を用いることなく、全走査領域に亙り略等しいスポット径で被走査面上を走査する光走査装置及びそれを用いた画像形成装置を達成することができる。
【発明を実施するための最良の形態】
【００１１】
まず本発明の目的を達成する為の原理について説明を記していく。
【００１２】
本発明では高速走査を達成するために小さくした偏向面に対して、偏向面の幅よりも広い光束を入射することにより、偏向後の光束幅を極力広くしている。これにより被走査面上における光量の低下を低減し、更に被走査面上における主走査方向のスポット径を小さくすることで印字画質の高精細化を図っている。但し、このような構成にすると偏向方向に応じて光束幅が変化するため、主走査方向のスポット径を一様化するには工夫が必要になる。これに対して、走査光学手段にｆ＿ｓｉｎ−１特性をもつ光学素子を用いると、スポットの一様性はより悪化するが、本特許では走査光学手段として走査中央のｄＹ／ｄθ（ｄＹ／ｄθ：走査光学手段への光束の入射角度θに対する走査位置Ｙの敏感度）に対して走査端部のｄＹ／ｄθを同じか若しくは小さくした光学素子を用いることで主走査方向のスポット径の変動を全印字領域に亙り５％以下に抑え、主走査方向のスポット径の一様性を保っている。
【００１３】
以下では、主走査方向のスポット径の一様性に関して詳細に説明していく。ｆθ特性（光学素子への入射角度をθとしたときに、θに比例した像高に光束を結像する特性）を有する光学素子、例えばｆθレンズはその特性から走査位置によらずｄＹ／ｄθは常に一定となる。また、ｆθレンズの別の特性として、ｆθレンズに入射する光束の幅が常に一定であればスポット径は走査位置によらず常に一定になるという特性がある。よって、偏向後の光束幅が常に同じであるような走査光学系においてスポット径を一定に保つためには、走査光学手段にｆθ特性をもつ光学素子を用いればよい。しかしながら、光束を偏向させるに従い主走査方向の光束幅が変化するような構成の場合、ｆθレンズを用いると光束幅に応じて主走査方向のスポット径は変化していく。
【００１４】
例えば、主走査方向の幅がＷのガルバノミラーに対してガルバノミラー正面からガルバノミラーの幅Ｗよりも幅の広い光束を入射した場合を考える。上記のような構成においてミラーの角度が０の時、偏向後の光束幅はＷとなる。これに対してミラーの角度がφの時、光束は２φの方向に偏向され、偏向後の光束幅はＷｃｏｓφとなる。また、スポット径はκｆλ／Ｄ（但し、κ：トランケーションファクター、λ：波長、ｆ：走査光学手段の焦点距離、Ｄ：光束幅）より導くことができる。よって、ｆθレンズを透過した光束はミラーの角度が０のときの主走査方向のスポット径に対してミラーの角度がφの時の主走査方向のスポット径は１／ｃｏｓφ倍大きくなる。
【００１５】
上記のようにガルバノミラーに対して偏向面よりも幅の広い光束を入射しつつ、主走査方向のスポット径を一定に保つには、走査端部に行くに従いｄＹ／ｄθが小さくなるような特性を走査光学手段に持たせる必要がある。そのような走査光学手段を用いると本来走査中央から走査端部に行くに従い主走査方向のスポット径は小さくなっていくが、主走査方向の光束幅が走査端部に行くに従い狭くなることによるスポット径の肥大化の効果と相殺することによりスポットを一定に保つことが可能になる。
【００１６】
これに対して通常カメラ等で用いられるようなｆ＿ｔａｎθ特性や走査速度を一定に保つために従来ガルバノミラーで用いられてきたｆ＿ｓｉｎ−１特性をもつような走査光学手段は走査中央から走査端部に行くに従い、ｄＹ／ｄθが大きくなっていくため、光束幅を一定に保っている場合でも走査端部に行くに従い主走査方向のスポット径を肥大化させてしまい、スポット径を一定に保つことができない。
【００１７】
次に、画像クロックに関して記していく。ガルバノミラーで偏向する光走査装置の場合、被走査面を等速走査させるにはｆ＿ｓｉｎ−１特性をもつ走査光学手段が必要になる。しかし、ｆ＿ｓｉｎ−１特性をもつ走査光学手段を用いると主走査方向のスポット径の一様性を保てなくなるため、本特許では走査光学手段として走査中央のｄＹ／ｄθに対して走査端部のｄＹ／ｄθを同じか若しくは小さくした光学素子を用いている。この結果、走査中央における走査速度に対して走査端部における走査速度は遅くなる。このような場合、一定の時間間隔で各画素のドットを打つと、走査速度に比例して主走査方向におけるドットの間隔は変化する。
【００１８】
画像品位を保つ上で、ドットの間隔は走査位置によらず一定にする必要があるため、本特許では走査速度に比例するように画像クロック（隣接するドット間に割り当てられる時間の逆数）を変調している。仮にガルバノミラーの変位角をφ０ｓｉｎ（ωｔ）（但し、φ０：ガルバノミラーの最大変位角、ω：角速度、ｔ：時間）としたとき、走査光学手段にｆθレンズを用いている場合は、走査中央と時刻ｔにおける走査速度の比はｃｏｓ（ωｔ）となるため、時刻ｔにおける画像クロックがＦ・｜ｃｏｓ（ωｔ）｜（但し、Ｆ：走査中央における画像クロック）となるように変調することになる。
【００１９】
次に、光量に関して記していく。光量に関しては少なくとも走査速度Ｖ及び偏向されたの光束の幅（光束の断面積）を考慮する必要がある。なぜならば走査速度が遅くなるほど、被走査面上に蓄積される光量は大きくなり、また、偏向後の光束の断面積が変化すれば光束の断面積に応じて光量も変化するためである。そこで本特許では走査速度をＶ、偏向後の断面積をＳとするときに｜Ｖ／Ｓ｜に比例して光源の光量を変調している。例えば、上記の例のように偏向手段に正弦振動するガルバノミラー、走査光学手段にｆθレンズを用いている場合は、光束幅は、ｃｏｓ｛φ０ｓｉｎ（ωｔ）｝に比例し、且つ走査速度はｃｏｓ（ωｔ）に比例ことするから、光源の光量は｜ｃｏｓ（ωｔ）／ｃｏｓ（φ０ｓｉｎ（ωｔ））｜に比例して変調することになる。
【実施例１】
【００２０】
図１に本実施形態１の要部概略図を示す。図１において１は例えば半導体レーザ等を用いた光源手段、２はフィールドレンズ、３はガルバノミラー（偏向手段）、４は走査中央のｄＹ／ｄθに対して走査端部のｄＹ／ｄθを小さくした走査レンズ（走査光学手段）、５は感光ドラム（被走査面）、８は入射ミラーを示している。
【００２１】
光源手段１から射出した光束はフィールドレンズ２によって略平行に変換され、入射ミラー８に入射する。ついで入射ミラー８で反射された光束は、ガルバノミラー３に主走査走行において正面から導光される。この際、副走査方向には若干の角度をつけて入射し、ガルバノミラーで偏向された光束が再び入射ミラーに戻ってくることが無いようにしている。導光された光束はガルバノミラーで光束幅を成形されつつ、矢印Ａで示されたガルバノミラーの正弦振動に応じて偏向され、走査レンズ４に入射する。走査レンズ４を透過した光束は感光ドラム上にスポット状に結像しつつ、感光ドラム上を矢印Ｂで示された方向に往復走査する。
【００２２】
本実施形態においてはガルバノミラーで主走査方向の光束幅を決定しているため、走査中央から走査端部に進むにつれて光束幅は狭くなり、このため走査端部に進むにつれて主走査方向のスポット径が肥大化する効果が発生するが、走査光学手段として走査中央のｄＹ／ｄθに対して走査端部のｄＹ／ｄθを小さくした走査レンズを用いることで、スポットが肥大化する効果を相殺し、印字品位の劣化を低減している。仮に走査光学手段にｆ＿ｓｉｎ−１特性を持つ光学素子を用いると、走査速度は一定になるが、主走査方向のスポット径は走査端に行くに従い肥大化する効果が発生するため、主走査方向のスポット径を一定に保てなくなり、最終的に印字品位を劣化させてしまう。もちろん、走査光学手段にｆ＿ｓｉｎ−１特性を持つ光学素子を用いても、デューティー比を小さくすることで、主走査方向のスポット径の変動を５％以下に抑制することは可能であるが、その場合は走査光学手段の焦点距離を非常に大きくするか、ガルバノミラーの最大変位角を大きくする必要がある。しかしながら走査光学手段の焦点距離を大きくすると、走査光学装置全体の大きさが大きくなるため好ましくない。また、ガルバノミラーの最大変位角はガルバノミラーの揺動速度と反比例の関係にあり、最大変位角を大きくすると印字速度が低下するためこの方法もあまり好ましくない。
【００２３】
また、画像クロックに関してはドットの間隔を走査位置によらず一定にするため、走査速度に比例するように、画像クロックに変調をかけている。
【００２４】
更に、光量に関しては、ガルバノミラーで偏向された光束の断面積をＳ、感光ドラム面上における走査速度をＶとするときに｜Ｖ／Ｓ｜に比例するように光源の光量を変調している。このように光源の光量を変調することで、感光ドラム上における光量を走査位置によらずほぼ均一に保っている。
【００２５】
尚、濃度階調を行う際には、上記のように求めた光量を元に階調に応じて光量を減らす等の制御をすればよい。
【実施例２】
【００２６】
本実施形態は実施形態１と大きく異なるところが少ないため、図１を用いて説明する。実施形態１と本実施形態との大きな違いはガルバノミラー３の最大変位角を小さくし、ガルバノミラーの角速度を大きくしたこと、及び走査光学手段４にｆθレンズを用いたことである。走査レンズをｆθレンズに変更したのは、設計手法が確立しているｆθレンズを用いることで設計や評価を容易にするためである。尚、最大変位角を小さくしたことにより、走査幅が小さくなるのは、ｆθレンズの焦点距離を長くすることで補っている。偏向後の光束幅が変化する分だけ主走査方向のスポット径が変化することは避けられないが、最周辺の像高におけるガルバノミラーの変位角も小さくなるため、光束幅の変化は小さく抑えられ、主走査方向のスポット径の変動も５％以下に抑えることが可能になった。
【００２７】
画像クロックに関しては、実施形態１と同様ドットの間隔を走査位置によらず一定にするため、走査速度に比例するように画像クロックに変調をかけている。
【００２８】
また、光量に関しては、実施形態１とは異なり、｜Ｖ／Ｓ｜に比例するようにパルス幅変調を行うことで、感光ドラム上における光量を走査位置によらずほぼ均一に保っている。具体的にはガルバノミラーで偏向された走査中央に向かう光束の断面積をＳ０、走査中央における走査速度をＶ０、ガルバノミラーで偏向されたある走査位置に向かう光束の断面積をＳ、その走査位置における走査速度をＶ、その走査位置におけて１画素に割り当てられる時間をＴとするときに、その画素のパルス幅（１画素内での発光時間）が｜（Ｓ０・Ｖ）／（Ｓ・Ｖ０）｜・Ｔとなるようにパルス幅を制御している。本実施形態ではパルス幅を上記の様に定めたが、最も光量が必要になる走査位置が走査中央に無いなどの理由で、走査中央における１画素に割り当てられる時間に対しパルス幅を短くした場合は、その比をｋ（≦１）としたとき、任意の走査位置におけるパルス幅を｜（Ｓ０・Ｖ）／（Ｓ・Ｖ０）｜・ｋ・Ｔとすればよい。
【００２９】
尚、濃度階調を行う際には、上記のように求めたパルス幅を元に階調に応じてパルス幅を更に制御するか、上記のように求めたパルス幅はそのままで光源の光量を減らす等の制御を行えばよい。
【実施例３】
【００３０】
本実施形態も図１を用いて説明する。実施形態１と本実施形態との大きな違いは光量の変調時における光量の決め方である。実施形態１では走査速度と光束幅にのみ着目して光量を決めていたが、本実施形態では更に、光束内における光量分布も考慮して光量を変調している。
【００３１】
図２及び図３は光束内における光量分布を模式的に示しており、横軸が光束中央からの位置、縦軸が光量を示している。図２のように光束内における光量分布が一様であるならば、光源の光量を求める際、偏向された光束の断面積と走査速度のみを考慮すればよいが、偏向前における光束内の実際の光量分布は図３に示すようなガウス分布を持つ。このため、偏向後の光束の光量と断面積とは厳密には比例せず、比例計算した場合の光量と比べると、実際の光量のほうが大きくなる。特に、この差は光源の半値全角が小さいほど発生し易い。本実施形態はこの点を考慮し、光束内の光量分布も考慮して光源の光量変調を行っている。もちろん、光量そのものを変調するのではなく、実施形態２で説明したような、パルス幅変調を行っても同様の効果が得られる。
【実施例４】
【００３２】
図４に本実施形態４の要部概略図を示す。図４において図１と同等のものは同じ番号を添えている。実施形態１と本実施形態との大きな違いは、光源手段１とガルバノミラー３の間の光路中に光束幅を制限する絞り６を設けたことと、ｆθレンズ７を走査光学手段に用いたことである。
【００３３】
本実施形態では光源手段１とガルバノミラー３の間の光路中に光束幅を制限する絞り６を設けたことで、偏向後の光束幅を一定にすることを可能にした。このため走査光学手段に設計・評価手法が確立しているｆθレンズを用いることが可能になり、主走査方向のスポット径の変動を５％以下につつ、光学素子の設計や評価を容易にならしめた。
【００３４】
光量変調に関しては、光束の断面積及び、光束内の使用領域が常に同じであることより、走査速度Ｖの大きさに比例して光量を変調している。もちろん、光量そのものを変調するのではなく、実施形態２で説明したような、パルス幅変調を行っても同様の効果が得られる。
【００３５】
尚、光束幅が狭くなったことによる光量の低下は光源の光量を増すことで対応している。
【００３６】
（画像形成装置）
図５は、本発明の画像形成装置の実施形態を示す副走査方向の要部断面図である。図において、符号１０４は画像形成装置を示す。この画像形成装置１０４には、パーソナルコンピュータ等の外部機器１１７からコードデータＤｃが入力する。このコードデータＤｃは、装置内のプリンタコントローラ１１１によって、画像データ（ドットデータ）Ｄｉに変換される。この画像データＤｉは、実施形態１〜５に示したいずれかの構成を有する光走査ユニット（マルチビーム走査光学系）１００に入力される。そして、この光走査ユニット１００からは、画像データＤｉに応じて変調された光ビーム１０３が出射され、この光ビーム１０３によって感光ドラム１０１の感光面が主走査方向に走査される。
【００３７】
静電潜像担持体（感光体）たる感光ドラム１０１は、モータ１１５によって時計廻りに回転させられる。そして、この回転に伴って、感光ドラム１０１の感光面が光ビーム１０３に対して、主走査方向と直交する副走査方向に移動する。感光ドラム１０１の上方には、感光ドラム１０１の表面を一様に帯電せしめる帯電ローラ１０２が表面に当接するように設けられている。そして、帯電ローラ１０２によって帯電された感光ドラム１０１の表面に、前記光走査ユニット１００によって走査される光ビーム１０３が照射されるようになっている。
【００３８】
先に説明したように、光ビーム１０３は、画像データＤｉに基づいて変調されており、この光ビーム１０３を照射することによって感光ドラム１０１の表面に静電潜像を形成せしめる。この静電潜像は、上記光ビーム１０３の照射位置よりもさらに感光ドラム１０１の回転方向の下流側で感光ドラム１０１に当接するように配設された現像器１０７によってトナー像として現像される。
【００３９】
現像器１０７によって現像されたトナー像は、感光ドラム１０１の下方で、感光ドラム１０１に対向するように配設された転写ローラ１０８によって被転写材たる用紙１１２上に転写される。用紙１１２は感光ドラム１０１の前方（図５において右側）の用紙カセット１０９内に収納されているが、手差しでも給紙が可能である。用紙カセット１０９端部には、給紙ローラ１１０が配設されており、用紙カセット１０９内の用紙１１２を搬送路へ送り込む。
【００４０】
以上のようにして、未定着トナー像を転写された用紙１１２はさらに感光ドラム１０１後方（図５において左側）の定着器へと搬送される。定着器は内部に定着ヒータ（図示せず）を有する定着ローラ１１３とこの定着ローラ１１３に圧接するように配設された加圧ローラ１１４とで構成されており、転写部から搬送されてきた用紙１１２を定着ローラ１１３と加圧ローラ１１４の圧接部にて加圧しながら加熱することにより用紙１１２上の未定着トナー像を定着せしめる。更に定着ローラ１１３の後方には排紙ローラ１１６が配設されており、定着された用紙１１２を画像形成装置の外に排出せしめる。
【００４１】
図５においては図示していないが、プリントコントローラ１１１は、先に説明したデータの変換だけでなく、モータ１１５を始め画像形成装置内の各部や、後述する光走査ユニット内のポリゴンモータなどの制御を行う。
【産業上の利用可能性】
【００４２】
本発明はマルチビーム走査光学系に関し、特に光源手段から出射した複数の光束（レーザ光）を光偏向器としてのガルバノミラーにより偏向反射させ、走査光学手段を介して被走査面上を光走査して画像情報を記録するようにした、例えば電子写真プロセスを有するレーザービームプリンタやデジタル複写機、マルチファンクションプリンタ（多機能プリンタ）等の画像形成装置に好適なものである。
【図面の簡単な説明】
【００４３】
【図１】本発明の実施形態１の主走査断面図
【図２】光量分布の説明図（一様な場合）
【図３】光量分布の説明図（ガウス分布の場合）
【図４】本発明の実施形態４の主走査断面図
【図５】本発明の画像形成装置の実施形態を示す副走査断面図
【符号の説明】
【００４４】
１  光源手段
２  フィールドレンズ
３  偏向手段（ガルバノミラー）
４  走査レンズ
５  被走査面（感光ドラム）
６  絞り
７  ｆθレンズ
８  入射ミラー
１００  走査装置
１０１  感光ドラム
１０２  帯電ローラ
１０３  光ビーム
１０４  画像形成装置
１０７  現像装置
１０８  転写ローラ
１０９  用紙カセット
１１０  給紙ローラ
１１１  プリンタコントローラ
１１２  転写材（用紙）
１１３  定着ローラ
１１４  加圧ローラ
１１５  モータ
１１６  排紙ローラ
１１７  外部機器
【図１】
2005215571.tif 000003
【図２】
2005215571.tif 000004
【図３】
2005215571.tif 000005
【図４】
2005215571.tif 000006
【図５】
2005215571.tif 000007